(57)【要約】【課題】  塗装作業の邪魔にならず、簡単に容器の縁に引掛けられるとともに、底の浅い容器に引掛けたとしても刷毛部が塗料に浸かりすぎたり、曲がり癖ができたりしない塗装用刷毛を提供する。【解決手段】  柄本体Ｇが、グリップ部４と、このグリップ部４に連続した刷毛保持部５とからなり、上記刷毛保持部５には刷毛部Ｂが保持されてなる塗装用刷毛を前提としている。そして、上記刷毛保持部５には、上記グリップ部４の先端とは反対側に開口する引掛け凹部６が一体的に設けられる。また、上記刷毛部Ｂの幅方向端部側に上記引掛け凹部６が設けられる。【選択図】  図１
2018057595.tif 000002
【特許請求の範囲】
【請求項１】
柄本体は、
グリップ部と、
このグリップ部に連続した刷毛保持部とからなり、
上記刷毛保持部には、
多数の毛が束ねられた刷毛部が保持されるとともに、上記グリップ部の先端とは反対側に開口する引掛け凹部が一体的に設けられた塗装用刷毛。
【請求項２】
上記刷毛部の幅方向端部側に上記引掛け凹部が設けられた請求項１に記載の塗装用刷毛。
【請求項３】
上記グリップ部は、上記刷毛部の幅方向端部側であって、刷毛部の毛先側が水平に保たれた状態で、上記引掛け凹部を通る鉛直線よりも外側に傾斜する請求項２に記載の塗装用刷毛。
【発明の詳細な説明】
【技術分野】
【０００１】
この発明は、容器などに引掛けることができる塗装用刷毛に関する。
【背景技術】
【０００２】
塗装用の容器Ｙなどの縁に引掛ける塗装用刷毛の発明として、特開２００４−６５８１６号公報に記載されたものが従来から知られている。なお、この従来の塗装用刷毛を本願の図５として示している。
上記従来の塗装用刷毛は、柄本体Ｇと多数の毛を束ねた刷毛部Ｂとからなる。
【０００３】
そして、上記柄本体Ｇは、グリップ部１と刷毛保持部２とを一体的に形成し、これらグリップ部１と刷毛保持部２とは、一枚の板を刷毛保持部２から二つ割りにして二股状にしている。
また、上記グリップ部１は刷毛保持部２の端部から上方に向かって伸びるようにしている。このようにしたグリップ部１は、刷毛部Ｂの毛先側を水平にしたとき、上記刷毛保持部２の端部を通る鉛直線よりも外側に位置するようにしている。なお、刷毛保持部２の端部とは、刷毛部Ｂの厚み方向に直交する方向における端部である。
また、上記二つ割りにした刷毛保持部２には、上記刷毛部Ｂを挟持させている。
【０００４】
上記のようにした柄本体Ｇのグリップ部１には、フック部材３を設けているが、このフック部材３は、二つ割りにした刷毛保持部２側から挿入して、それをグリップ部１の中間位置まで押し込み、二つ割りにしたグリップ部１の挟持力で当該フック部材３を挟持するようにしている。
上記のようにグリップ部１に挟持されたフック部材３は、上記刷毛保持部２を通る上記鉛直線の外側となるグリップ部１の外側に引掛け部３ａが突出される。
【先行技術文献】
【特許文献】
【０００５】
【特許文献１】特開２００４−６５８１６号公報
【特許文献２】特開２０１３−９５０５６号公報
【発明の概要】
【発明が解決しようとする課題】
【０００６】
従来の塗装用刷毛は、上記柄本体Ｇの挟持力を利用して、上記柄本体Ｇに上記フック部材３が固定されるので、ある程度の挟持力を発揮させるためには、上記フック部材３を、刷毛部Ｂと柄本体Ｇの先端との中間位置に止めざるを得なかった。そのために、引掛け部３ａから刷毛部Ｂまでの長さが長くならざるをえなかった。
上記のように引掛け部３ａから刷毛部Ｂまでの長さが長くなれば、底の浅い容器Ｙの場合には、刷毛部Ｂが容器Ｙの底に突き当たってしまう。例えば、塗装作業中に手で持つ容器Ｙの場合には、その底が浅いのが普通である。
【０００７】
そして、刷毛部Ｂが容器Ｙの底に突き当たったまま、それを放置しておけば、刷毛部Ｂに曲がり癖がついてしまう。もし、曲がり癖ができれば、それを直さなければ塗装ができないが、刷毛部Ｂの曲がり癖を直すのは簡単ではない。なぜなら、塗装作業中は、一方の手に容器Ｙを持ち、他方の手でグリップ部１を握っていて両手がふさがっているからである。そのために、曲がり癖ができると、その修正作業に手間がかかり、塗装作業の効率を著しく悪くする。
【０００８】
また、引掛け部３ａから刷毛部Ｂまでの長さが長くなればなるほど、引掛け部３ａを容器Ｙの縁に引掛けたとき、刷毛部Ｂが塗料の中に浸かりやすくなる。
もし、刷毛部Ｂが容器Ｙ内の塗料に浸かったままにしておけば、刷毛部Ｂに対する塗料の含み量が多くなりすぎてしまう。塗料の含み量が多くなりすぎれば、その都度、含み量が適量になるまで刷毛部Ｂを容器Ｙの縁でしごかなければならない。
【０００９】
しかし、しごきが足りないと含み量が多くなりすぎてしまう。含み量が多いまま刷毛部Ｂを塗装面に押し当てると、塗装面に塗料が垂れ流れて、それが塗料の流れ跡として残ったりする。また、当該塗装用刷毛を持ち運んでいる途中で、塗料が垂れ落ちて周囲を汚してしまったりすることもある。
【００１０】
反対に、しごき過ぎて含み量が適量以下になると、少しの面積を塗っただけで塗面にかすれが生じるので、その都度、刷毛部Ｂに塗料を含ませなければならなくなる。しかし、刷毛部Ｂに塗料を含ませる回数が増えれば増えるほど、その分、塗装作業の時間が多くなってしまう。
そして、刷毛部Ｂの含み量を適正にするために、それを容器Ｙの縁でしごく作業は、ある程度の熟練が必要で、素人には難しい作業であった。そのため、刷毛部Ｂが塗料に浸かりやすい従来の塗装用刷毛は、素人には不向きなものになるという問題があった。
【００１１】
だからと言って、塗料を含んだままの当該塗装用刷毛を、何処にでも置くわけにはいかない。もし、そのようなことをすれば、それこそ周辺を汚してしまう。
したがって、塗料を含んだ塗装用刷毛を、一時的に容器Ｙに引掛けておくことが求められるが、従来の塗装用刷毛では、次のような問題もあった。
【００１２】
上記フック部材３の引掛け部３ａは、グリップ部１の中間位置に保たれている。しかし、その中間位置は、グリップ部１を握るときの手の位置になることが多い。もし、手の位置になれば、引掛け部３ａが手に当たるので、引掛け部３ａを手に包み込むようにして握らなければならない。そのために、塗装作業者は、グリップ部１を通常の握り方で握れなくなるが、それは塗装作業に支障をきたすだけでなく、塗装の質にも影響を及ぼすという問題があった。
【００１３】
そこで、塗装作業時には、上記フック部材３を取り除くことも考えられるが、それでは手間がかかりすぎてしまうだけでなく、塗装作業の最中にフック部材３を取り付けたり、取り外したりすれば、瞬間的に不用意な力が作用して、刷毛部Ｂに含まれていた塗料が周囲に飛散したり、作業者の服などを汚してしまったりするので、ほとんど不可能であった。
【００１４】
この発明の目的は、塗装作業の邪魔にならず、簡単に容器の縁に引掛けられるとともに、底の浅い容器に引掛けたとしても刷毛部が塗料に浸かりすぎたり、曲がり癖曲がり癖ができたりしない塗装用刷毛を提供することである。
【課題を解決するための手段】
【００１５】
第１の発明は、柄本体が、グリップ部と、このグリップ部に連続した刷毛保持部とからなり、上記刷毛保持部には刷毛部が保持されてなる塗装用刷毛を前提としている。
そして、上記刷毛保持部には、上記グリップ部の先端とは反対側に開口する引掛け凹部が一体的に設けられた点に特徴を有する。
なお、上記刷毛保持部とは、例えば、グリップ部と一体となって刷毛部を保持するものや、グリップ部に連続する部分と刷毛部とを金具等の別部材で覆うものも含まれる。
【００１６】
第２の発明は、上記刷毛部の幅方向端部側に上記引掛け凹部が設けられた点に特徴を有する。
なお、刷毛部の幅方向とは、刷毛部の厚み方向に直交する方向を言う。
【００１７】
第３の発明は、上記グリップ部が、上記刷毛部の幅方向であって、刷毛部の毛先側が水平に保たれた状態で、上記引掛け凹部を通る鉛直線よりも外側に傾斜する点に特徴を有する。
【発明の効果】
【００１８】
第１の発明によれば、刷毛保持部に引掛け凹部が設けられているので、引掛け凹部から刷毛部までの長さを短くできる。したがって、たとえ底の浅い容器の縁に引掛け凹部を引掛けても、従来の塗装用刷毛のように、刷毛部に曲がり癖がついたりしない。したがって、その塗装作業の最中に、その曲がり癖を直したりする必要もないし、曲がり癖を直せなくて当該塗装用刷毛が使用不能になることもない。
【００１９】
また、上記のように引掛け凹部から刷毛部までの長さを短くできるので、ほとんどの場合、容器の縁に引掛け凹部を引掛けても、刷毛部が容器内の塗料に浸ることはない。なぜなら、塗料を容器の縁の付近まで目一杯入れることはほとんどないからである。したがって、刷毛部の含み量を調整するしごきの作業も簡単になる。
なお、たっぷりと塗料を含んだ刷毛部をしごきによって適量の含み量にするのと、刷毛部を塗料に浸ける量を調整するのとでは、後者の方が圧倒的にやりやすい。したがって、容器の縁に引掛け凹部を引掛けて、刷毛部が塗料に浸らないようにした方が、含み量の調整が簡単になる。
【００２０】
さらに、グリップ部には、従来の引掛け部のような出っ張りがないので、通常の握り方でグリップ部を握って塗装作業ができる。
また、フック部材を必要としないので、フック部材が原因となって発生する従来の問題をことごとく解消することができる。
【００２１】
第２の発明によれば、刷毛部の幅方向端部側に引掛け凹部が設けられているので、この引掛け凹部を容器の縁に引掛ければ、刷毛部の重さが、上記引掛け凹部を中心にした回動力になる。この回動力によって、刷毛部が容器の壁面に押し付けられる。
このように刷毛部が容器の壁面に押し付けられるので、引掛け凹部を容器の縁に引掛けた状態では、当該塗装用刷毛には、容器の外側に倒れる方向の力がほとんど発生しない。したがって、容器の縁に引掛けた当該塗装用刷毛が、容器の外側に落ちてしまうことがない。
【００２２】
また、上記のように刷毛部が容器の壁面に押し付けられることによって、刷毛部に適正量以上の塗料が含まれていたとしても、その余分な塗料は、上記壁面を伝って容器内に戻されるので、刷毛保持部には、適正な含み量よりも少なめの含み量が維持される。したがって、容器の縁に引掛けた塗装用刷毛を再び使うときには、しごき作業から始めるのではなく、刷毛部を塗料に浸けるところから始めることができ、その分、作業効率も上がる。なぜなら、容器に引掛けた塗装用刷毛を再び使うときには、しごき作業から始めるのではなく、刷毛部を塗料に浸ける作業から始めるのが通常だからである。
【００２３】
第３の発明によれば、上記グリップ部は、上記刷毛部の幅方向端部側であって、刷毛部の毛先側を水平に保ったとき、上記引掛け凹部を通る鉛直線よりも外側に設けられているので、引掛け凹部を容器の縁に引掛けたとき、たとえ刷毛部が容器の壁面側に押し付けられた状態でも、グリップ部は容器の縁の真上あるいは外側に位置させることができる。
特に、塗装作業中に使う容器には、当該容器の開口部分をまたぐ取っ手が設けられているのが通常であるが、もし、グリップ部が容器の内側に倒れ込むような状態になると、当該塗装用刷毛を、容器から取り出すときに、上記取っ手が邪魔になってしまう。
【００２４】
しかし、上記のように引掛け凹部を容器の縁に引掛けたとき、グリップ部は容器の縁の真上あるいは外側に位置させることができるので、グリップ部を握るときに、上記取っ手が邪魔になるようなことはない。
しかも、グリップ部が上記鉛直線よりも外側に位置するので、引掛け凹部を容器の縁に引掛けた状態で、グリップ部に衝撃が作用したとしても、それが容器内に落ちることはまずない。
【図面の簡単な説明】
【００２５】
【図１】この第１実施形態の斜視図である。
【図２】この第１実施形態の使用状態を示す説明図である。
【図３】この第２実施形態の斜視図である。
【図４】この第３実施形態の正面図である。
【図５】従来の使用状態を示す説明図である。
【発明を実施するための形態】
【００２６】
図１及び図２に、この発明の塗装用刷毛の第１実施形態を示す。
この第１実施形態は、毛を束ねた刷毛部Ｂと、この刷毛部Ｂを保持する柄本体Ｇとで構成される。
上記柄本体Ｇは、グリップ部４と刷毛保持部５とを一枚の板で一体的に形成するとともに、上記一枚の板を刷毛保持部５側から二つ割りにして二股状にし、上記刷毛保持部５には上記刷毛部Ｂを挟持させている。
【００２７】
上記のように刷毛保持部５と一体にしたグリップ部４は、刷毛部Ｂの幅方向端部に対応する刷毛保持部５の端部に設けられるとともに、刷毛部Ｂの毛先側を水平にしたときに上記端部を通る鉛直線よりも外側に向かって傾斜させている。
なお、刷毛部Ｂの幅方向とは、刷毛部Ｂの厚み方向に直交する方向を言う。
【００２８】
そして、グリップ部４の根元に対応するとともに、刷毛部Ｂの幅方向端部よりも外方に対応する刷毛保持部５には、グリップ部４の先端側とは反対側に開口する引掛け凹部６を形成している。
上記のようにした引掛け凹部６は、図２に示すように塗料用の容器Ｙの縁に引掛けるためのもので、この引掛け凹部６を容器Ｙの縁に引掛けたとき、次のようなバランスを保つ。
【００２９】
すなわち、引掛け凹部６は刷毛保持部５に設けられているので、図２に示すように引掛け凹部６を容器Ｙの縁に引掛けても、刷毛部Ｂが容器Ｙの浅い位置に保たれる。したがって、ほとんどの場合、刷毛部Ｂが容器Ｙ内の塗料に浸かることはない。
【００３０】
また、引掛け凹部６は、グリップ部４の根元に対応するとともに、刷毛部Ｂの幅方向端部よりも外方に対応させているので、引掛け凹部６を図２に示すように引掛ければ、刷毛部Ｂの重さによって、引掛け凹部６を中心にした回動力が発生する。そのために、刷毛部Ｂは容器Ｙの壁面に接触することになる。
さらに、上記グリップ部４は、刷毛部Ｂの毛先側を水平にしたときに刷毛保持部５の端部を通る鉛直線よりも外側に向かって傾斜させているので、引掛け凹部６を容器Ｙの縁に引掛けたとき、グリップ部４が容器Ｙの縁よりも内側に倒れ込んだりしない。
【００３１】
次に、上記第１実施形態の使用状況を説明する。
塗装用刷毛を容器Ｙに引掛けるときは、図２に示したように、この容器Ｙの内側に刷毛部Ｂを挿入し、上記容器Ｙの縁に引掛け凹部６を引掛ける。
このとき、上記したように刷毛部Ｂの幅方向端部側に引掛け凹部６が設けられているので、刷毛部Ｂの重さが、上記引掛け凹部６を中心にした回動力として作用する。そして、この回動力によって、刷毛部Ｂが容器Ｙの壁面に押し付けられる。
【００３２】
刷毛部Ｂが容器Ｙの壁面に押し付けられるので、引掛け凹部６を容器Ｙの縁に引掛けた状態では、当該塗装用刷毛には、容器Ｙの外側に倒れる方向の力がほとんど発生しない。したがって、容器Ｙの縁に引掛けた当該塗装用刷毛が、容器Ｙの外側に落ちてしまうことがない。
【００３３】
また、上記のように刷毛部Ｂが容器Ｙの壁面に押し付けられることによって、刷毛部Ｂに適正量以上の塗料が含まれていたとしても、その余分な塗料は、上記壁面を伝って容器Ｙ内に戻される。そのため、刷毛保持部５には、適正な含み量よりも少なめの含み量が維持される。
【００３４】
さらに、上記グリップ部４は、上記刷毛部Ｂの幅方向の端部側であって、刷毛部Ｂの毛先側を水平に保ったとき、上記引掛け凹部６を通る鉛直線よりも外側に設けられている。そのため、引掛け凹部６を容器Ｙの縁に引掛けたとき、たとえ刷毛部Ｂが容器Ｙの壁面側に押し付けられた状態でも、グリップ部４は容器Ｙの縁の真上あるいは外側に位置させることができる。
【００３５】
特に、塗装作業中に使う容器Ｙには、当該容器Ｙの開口部分をまたぐ取っ手が設けられているのが通常である。もし、グリップ部４が容器Ｙの内側に倒れ込むような状態になると、当該塗装用刷毛を、容器Ｙから取り出すときに、上記取っ手が邪魔になってしまう。
しかし、上記のように引掛け凹部６を容器Ｙの縁に引掛けたとき、グリップ部４は容器Ｙの縁の真上あるいは外側に位置させることができるので、グリップ部４を握るときに、上記取っ手が邪魔になるようなことはない。
【００３６】
しかも、グリップ部４が、刷毛部Ｂの毛先側を水平に保ったときの上記鉛直線よりも外側に位置するので、引掛け凹部６を容器Ｙの縁に引掛けた状態で、グリップ部４に衝撃が作用したとしても、それが容器Ｙ内に落ちることはまずない。
【００３７】
上記のようにした第１実施形態によれば、刷毛保持部５に引掛け凹部６が設けられているので、引掛け凹部６から刷毛部Ｂまでの長さを短くできる。したがって、たとえ底の浅い容器Ｙの縁に引掛け凹部６を引掛けても、従来の塗装用刷毛のように、刷毛部Ｂに曲がり癖がついたりしない。したがって、その塗装作業の最中に、その曲がり癖を直したりする必要もないし、曲がり癖を直せなくて当該塗装用刷毛が使用不能になることもない。
【００３８】
また、上記のように引掛け凹部６から刷毛部Ｂまでの長さを短くできるので、ほとんどの場合、容器Ｙの縁に引掛け凹部６を引掛けても、刷毛部Ｂが容器Ｙ内の塗料に浸ることはない。なぜなら、塗料を容器Ｙの縁の付近まで目一杯入れることはほとんどないからである。したがって、刷毛部Ｂの含み量を調整するしごきの作業も簡単になる。
【００３９】
さらに、グリップ部４には、従来の引掛け部３ａのような出っ張りがないので、通常の握り方でグリップ部４を握って塗装作業ができる。
また、従来のようなフック部材３を必要としないので、フック部材３が原因となって発生する従来の問題をことごとく解消することができる。
【００４０】
次に、図３に示した第２実施形態について説明をする。
この第２実施形態は、柄本体Ｇが１枚の板部材からなり、第１実施形態で説明した刷毛保持部８に、刷毛部Ｂを保持する金具９を設け、この金具９に刷毛部Ｂを保持させるようにしている。ただし、上記金具９は刷毛保持部８の一部を構成するもので、それら両者が一体となってこの発明の刷毛保持部を構成する。
【００４１】
そして、この第２実施形態における引掛け凹部１０は、金具９を外した刷毛保持部８の部分に形成しているが、グリップ部７及び刷毛部Ｂとの相対位置関係は第１実施形態と同じにしている。
なお、この第２実施形態では、引掛け凹部１０は金具９よりも上側であるグリップ部７側に位置することになる。そのために、引掛け凹部１０は、刷毛部Ｂの毛先からの距離が、第１実施形態よりも大きくなる。しかし、従来のようにグリップ部１の中間位置に引掛け部３ａを設けるよりも、その距離を十分に短くできる。
また、上記刷毛保持部８に対してグリップ部７が傾斜していることは第１実施形態と同じである。
【００４２】
次に、図４に示した第３実施形態について説明をする。
この第３実施形態は、いわゆる平刷毛に関するもので、柄本体Ｇのグリップ部１１が刷毛保持部１２のほぼ中央にあるタイプである。なお、刷毛保持部１２は、第１実施形態のように一枚の板を二つ割りにしてもよいし、第２実施形態のように一枚の板に金具を設けてもよい。
そして、上記刷毛保持部１２の端部に引掛け凹部１３を形成したものである。
【００４３】
この刷毛保持部１２には、上記グリップ部１１の先端１１ａの反対側で、塗装用の容器Ｙなどの縁に引掛ける引掛け凹部１３が設けられている。この引掛け凹部１３は、上記刷毛部Ｂの幅方向であって、上記刷毛保持部１２の一方の端部側に設けられる。
【００４４】
なお、上記した第１〜第３実施形態の引掛け凹部の形状は、容器Ｙなどの縁に引掛けることができれば、どのような形状でも構わない。
【産業上の利用可能性】
【００４５】
この発明は、塗装用刷毛を容器などの縁に引掛けることに最適である。
【符号の説明】
【００４６】
Ｂ…刷毛部  、  Ｇ…柄本体  、  ４，７，１１…グリップ部  、  ５，８，１２…刷毛保持部  、  ６，１０，１３…引掛け凹部  、  Ｙ…容器
【図１】
2018057595.tif 000003
【図２】
2018057595.tif 000004
【図３】
2018057595.tif 000005
【図４】
2018057595.tif 000006
【図５】
2018057595.tif 000007